(57)【要約】【課題】板状の金属材を折り曲げて形成されたスラットを用いた水平引き防火防煙シャッター装置において、充分な防煙性能を発揮するシャッター装置およびそれに用いるスラットを提供する。【解決手段】  水平引き防火防煙シャッター装置に用いるスラット１が、板状の金属材を折り曲げて形成されるものであり、該スラット１が、前記折り曲げによって形成された係合部１２を備えた第１の端と、前記折り曲げによって形成された係合受部１３を備えた第２の端とを有し、第１の端の係合部１２は、連接する他のスラットが有する係合受部と係合するような形状に構成されており、第２の端の係合受部１３は、連接する他のスラットが有する係合部と係合するような形状に構成されており、該スラット１と他のスラットとを係合した箇所である連接部を、スラットのオモテ面から覆うように、蓋体１４が取り付けられている。【選択図】図１
2019218826.tif 000002
【特許請求の範囲】
【請求項１】
水平引き防火防煙シャッター装置に用いるスラットであって、
該スラットが、板状の金属材を折り曲げて形成されるものであり、
該スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような形状に構成されており、
第２の端の係合受部は、連接する他のスラットが有する係合部と係合するような形状に構成されており、
該スラットと他のスラットとを係合した箇所である連接部を、スラットのオモテ面から覆うように、蓋体が取り付けられていることを特徴とする、スラット。
【請求項２】
前記蓋体が、スラットのオモテ面を規準として、スラットの第１の端から第２の端へ向かう方向、またはその逆方向に、ずらして取り付けられていることを特徴とする、請求項１に記載のスラット。
【請求項３】
前記蓋体の平面寸法が、スラットのオモテ面の平面寸法と同じである事を特徴とする、請求項２に記載のスラット。
【請求項４】
請求項１〜３のいずれか１つに記載のスラットを複数連接して備えた、水平引き防火防煙シャッター装置。
【請求項５】
該シャッター装置が、スラットが垂直または弧状に引かれる部分を更に備えていることを特徴とする、請求項４に記載の水平引き防火防煙シャッター装置。
【請求項６】
水平引き防火防煙シャッター装置の製造方法であって、
該シャッター装置に用いるスラットが、板状の金属材を折り曲げて形成されているものであり、該スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような形状に構成されており、第２の端の係合受部は、連接する他のスラットが有する係合部と係合するような形状に構成されており、
該スラットと他のスラットとを係合した箇所である連接部を、スラットのオモテ面から覆うように、蓋体を取り付けるステップを有することを特徴とする、水平引き防火防煙シャッター装置の製造方法。
【請求項７】
前記蓋体を取り付けるステップにおいて、スラットのオモテ面を規準として、スラットの第１の端から第２の端へ向かう方向、またはその逆方向に、前記蓋体をずらして取り付けることを特徴とする、請求項６に記載の製造方法。
【請求項８】
前記蓋体の平面寸法が、スラットのオモテ面の平面寸法と同じである事を特徴とする、請求項６または７に記載の製造方法。
【発明の詳細な説明】
【技術分野】
【０００１】
本発明は、複数のスラットを連接させてなる水平引き防火防煙シャッター装置と、該シャッター装置に用いるスラットに関するものである。
【０００２】
ここでいう水平引き防火防煙シャッター装置には、いわゆる水平垂直引きシャッターなどの、シャッターを水平に引く部分を有するシャッター装置も含まれる。
【背景技術】
【０００３】
図６は、従来技術である上下引き防火防煙シャッター装置の一例を示す図である。図中、４１はスラット、４２はガイドレール、４３は収納ボックスである。従来技術である上下引き防火防煙シャッター装置では、スラット４１を上下に連接させて構成した上下シャッターを、ガイドレール４２に沿って降下させて開口部を閉じ、また逆に、この上下シャッターを巻き上げて収納ボックス４３へと収納することにより開口部を開放する。
【０００４】
図７は、従来技術である上下引き防火防煙シャッター装置におけるスラット４１の連接を示す図である。スラット４１は板状の金属材を折り曲げることにより、スラット４１の一端に係合部４１１を、他端に係合受部４１２をそれぞれ設ける。スラット４１同士の連接は、係合部４１１を係合受部４１２内に差し込むようにして行う構成となっている。この構成により、各スラット４１は、連接する他のスラット４１に対して回動可能となり、複数枚のスラット４１を連接させて構成した上下シャッターは、収納ボックス４３の中への巻き上げが可能となる。
【０００５】
上述のような上下引き防火防煙シャッター装置の場合、スラット４１にかかる重力の影響で、あるスラット４１の係合部４１１と、そのスラット４１と連接する他のスラット４１の係合受部４１２とが密着することとなる。その結果、煙の漏れが生じず、建築基準を満たす防煙性能を有する上下引き防火防煙シャッター装置を得ることが出来る。
【０００６】
しかしながら、上記のようなスラット４１を、上下引きシャッター装置ではなく、水平引きの防火防煙シャッター装置に用いようとした場合、スラット４１にかかる重力の方向が異なるため、互いに連接するスラット４１の連接部から煙が漏れ、所望の防煙性能を発揮することが出来ないという問題があることが、本願出願人の調べにより発覚した。
【０００７】
また、屋外で用いられるシャッター装置として例えば特許文献１があるが、当該シャッター装置は上下引きシャッターとして用いることを前提としたものであり、板状の金属材を折り曲げることにより形成されたスラットを水平引きシャッター装置に用いることも、その際の、上述の防煙性能に関する問題についても、検討されているものではなかった。
【先行技術文献】
【特許文献】
【０００８】
【特許文献１】特開２０１７−１５０１５２号公報
【発明の概要】
【発明が解決しようとする課題】
【０００９】
本発明は上述の事情に鑑みてなされたものであり、板状の金属材を折り曲げて形成されたスラットを用いた、水平引き防火防煙シャッター装置であって、シャッターを閉めた状態で建築基準を満たす充分な防煙性能を発揮するシャッター装置と、該装置に用いるスラットとを提供することを目的とするものである。
【課題を解決するための手段】
【００１０】
本発明の課題を解決するための手段は、下記のとおりである。
第１に、水平引き防火防煙シャッター装置に用いるスラットであって、
該スラットが、板状の金属材を折り曲げて形成されるものであり、
該スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような形状に構成されており、
第２の端の係合受部は、連接する他のスラットが有する係合部と係合するような形状に構成されており、
該スラットと他のスラットとを係合した箇所である連接部を、スラットのオモテ面から覆うように、蓋体が取り付けられていることを特徴とする、スラット。
第２に、前記蓋体が、スラットのオモテ面を規準として、スラットの第１の端から第２の端へ向かう方向、またはその逆方向に、ずらして取り付けられていることを特徴とする、前記第１に記載のスラット。
第３に、前記蓋体の平面寸法が、スラットのオモテ面の平面寸法と同じである事を特徴とする、前記第２に記載のスラット。
第４に、前記第１〜第３のいずれか１つに記載のスラットを複数連接して備えた、水平引き防火防煙シャッター装置。
第５に、該シャッター装置が、スラットが垂直または弧状に引かれる部分を更に備えていることを特徴とする、前記第４に記載の水平引き防火防煙シャッター装置。
第６に、水平引き防火防煙シャッター装置の製造方法であって、
該シャッター装置に用いるスラットが、板状の金属材を折り曲げて形成されているものであり、該スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような形状に構成されており、第２の端の係合受部は、連接する他のスラットが有する係合部と係合するような形状に構成されており、
該スラットと他のスラットとを係合した箇所である連接部を、スラットのオモテ面から覆うように、蓋体を取り付けるステップを有することを特徴とする、水平引き防火防煙シャッター装置の製造方法。
第７に、前記蓋体を取り付けるステップにおいて、スラットのオモテ面を規準として、スラットの第１の端から第２の端へ向かう方向、またはその逆方向に、前記蓋体をずらして取り付けることを特徴とする、前記第６に記載の製造方法。
第８に、前記蓋体の平面寸法が、スラットのオモテ面の平面寸法と同じである事を特徴とする、前記第６または第７に記載の製造方法。
【発明の効果】
【００１１】
本発明によれば、あるスラットの係合部と、他のスラットの係合受部とを係合した箇所、即ち連接部が蓋体で覆われることによって、スラットを水平引き防火防煙シャッター装置に用いたとしても、煙の漏れを防ぎ、建築基準を満たした防火防煙シャッター装置とすることが出来る。
【図面の簡単な説明】
【００１２】
【図１】本発明の実施形態におけるスラット１の斜視図である。
【図２】本発明の実施形態におけるスラット１同士を連接した状態を示す図である。
【図３】本発明の実施形態におけるスラット１を連接してなる水平引き防火防煙シャッター装置を示す図である。
【図４】本発明の実施形態におけるスラット１の変形例を示す図である。
【図５】本発明に係る水平引き防火防煙シャッター装置の変形例を示す図である。
【図６】従来技術である上下引き防火防煙シャッター装置の一例を示す図である。
【図７】従来技術である上下引き防火防煙シャッター装置におけるスラット４１の連接を示す図である。
【発明を実施するための形態】
【００１３】
図１は、本発明の実施形態におけるスラット１の斜視図である。図中、１１はスラット本体、１２は係合部、１３は係合受部である。
【００１４】
スラット１は、板状の金属材を折り曲げて形成されるものである。スラット１を図１のように水平面上に置いた時の、水平方向にスラット本体１１が延在し、そのスラット本体１１の第１の端に係合部１２が、第２の端に係合受部１３が、それぞれ形成されている。
この時、図１の上側に来る面をオモテ面とし、その反対側の下側に来る面をウラ面とする。
【００１５】
係合部１２は、スラット本体１１の第１の端から、下側つまりウラ面側に向かって折り曲げられて形成されている。係合受部１３も同様に、スラット本体１１の第２の端から、下側つまりウラ面側に向かって折り曲げられて形成されている。
なお、係合部１２および係合受部１３の形状については、当業者には種々の変形が可能であろう。
【００１６】
スラット１のオモテ面、つまり図１における上向きの面を覆うように、蓋体１４が、リベット１５等によって取り付けられる。
蓋体１４は例えば板状の金属材であり、好適には、スラット本体１１のオモテ面とほぼ同じ平面上の寸法（タテ、ヨコ）を有する。
この蓋体１４は、スラット１のオモテ面を規準として、スラット１の第１の端から第２の端へ向う方向、あるいはその逆方向に、所定のピッチｄだけずらして取り付けられる。
図１の例においては、例えばこの所定のピッチｄは１０ｍｍであり、スラット１の第１の端から第２の端へ向う方向へとずらされている。
【００１７】
図２は、本発明の実施形態におけるスラット１同士を連接した状態を示す図である。
係合部１２および係合受部１３は、係合時にスラット１の係合部１２を他のスラット１の係合受部１３が包みこむように、それぞれ巻き状に折り曲げ形成されている。
そして、スラット１の係合部１２を、他のスラット１の係合受部１３の中に挿入するようにして係合がなされる。
【００１８】
図２からも明らかなように、複数のスラット１同士を連接した場合、スラット１のオモテ面側に取り付けられた蓋体１４が、係合受部１３と、連接する他のスラットが有する係合部１２とを係合した箇所である連接部を覆っている。
【００１９】
図３は、本発明の実施形態におけるスラット１を連接してなる水平引き防火防煙シャッター装置を示す図である。
図に見られるように、上述のスラット１を水平方向に複数枚連接して、シャッターカーテン２を構成する。
このシャッターカーテン２を水平に引き出すことで、建物等の開口部を閉鎖する。また逆に、シャッターカーテン２を巻き回し、シャッターボックス３の中へと収納して、建物等の開口部を開放する。
【００２０】
ここで図１および図２をあわせて参照すると、上述のように、スラット本体１１のオモテ面に取り付けられた蓋体１４が、前記連接部をスラット１のオモテ面から覆うので、スラット本体１のウラ面方向からオモテ面方向へと（あるいは、その逆方向へと）煙が漏れるのを防止することが出来る。結果、水平引き防火防煙シャッター装置が、建築基準を満たす所望の防煙機能を備えることが可能となる。
【００２１】
図１を参照すると、好適には、蓋体１４は、スラット本体１１のオモテ面とほぼ同じ平面寸法（タテ、ヨコ）を有している。このように寸法決めを行うと、図３に示したシャッターカーテン２を水平に引いたときに、オモテ面から見た時に凹凸が生じず、見栄えが良くなる。また、蓋体１４のそのさらに上から、模様シート、石などを貼り付けることにより、シャッターの見栄えを一層向上させることも容易になる。
しかしながら、蓋体１４の平面寸法は、上述の寸法に限られるものではなく、当業者が適宜、変更が可能であろう。
【００２２】
図４は、本発明の実施形態におけるスラット１の変形例を示す図である。
この変形例においては、蓋体１４’は、スラット本体１１のオモテ面の平面寸法より小さな平面寸法を有しており、上記連接部付近を重点的に覆うように、幅の狭い板状になっている。
【００２３】
図５は、本発明に係る水平引き防火防煙シャッター装置の変形例を示す図である。
水平引き防火防煙シャッター装置は、図５（Ａ）に示されているように、スラット用のガイドレールを湾曲させて、スラットが水平に引かれている部分３１と、垂直に引かれている部分３２の双方を有する構成をとることが出来る。
また、水平引き防火防煙シャッター装置は、図５（Ｂ）に示されているように、スラットが水平に引かれている部分３１と、弧状に引かれている部分３２’の双方を有する構成をとることも出来る。
このうち、水平に引かれている部分３１においては、上述のようにスラットに蓋体１４を取り付けることによって、煙の漏れを防止することが可能となる。
一方、垂直に引かれている部分３２や、弧状に引かれている部分３２’においては、スラットにかかる重力の影響で、従来技術の上下引きシャッター装置と同様に、煙の漏れがそもそも生じない。しかし、スラットに蓋体１４を取り付けることにより、これらの部分においても煙の漏れを更に防止することが可能となる。
【符号の説明】
【００２４】
１    スラット
１１    スラット本体
１２    係合部
１３    係合受部
１４    蓋体
１４’  蓋体
１５    リベット
２    シャッターカーテン
３    シャッターボックス
４１    スラット
４１１  係合部
４１２  係合受部
４２    ガイドレール
４３    収納ボックス
【図１】
2019218826.tif 000003
【図２】
2019218826.tif 000004
【図３】
2019218826.tif 000005
【図４】
2019218826.tif 000006
【図５】
2019218826.tif 000007
【図６】
2019218826.tif 000008
【図７】
2019218826.tif 000009
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
水平引き防火防煙シャッター装置に用いるスラットであって、
該スラットが、板状の金属材を折り曲げて形成されるものであり、
該スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような形状に構成されており、
第２の端の係合受部は、連接する他のスラットが有する係合部と係合するような形状に構成されており、
該スラットと他のスラットとを係合した箇所である連接部を、スラットのオモテ面から覆うように、蓋体が取り付けられており、
前記蓋体の平面寸法が、スラットのオモテ面の平面寸法と同じであることを特徴とする、スラット。
【請求項２】
前記蓋体が、スラットのオモテ面を規準として、スラットの第１の端から第２の端へ向かう方向、またはその逆方向に、ずらして取り付けられていることを特徴とする、請求項１に記載のスラット。
【請求項３】
請求項１または２に記載のスラットを複数連接して備えた、水平引き防火防煙シャッター装置。
【請求項４】
該シャッター装置が、スラットが垂直または弧状に引かれる部分を更に備えていることを特徴とする、請求項３に記載の水平引き防火防煙シャッター装置。
【請求項５】
水平引き防火防煙シャッター装置の製造方法であって、
該シャッター装置に用いるスラットが、板状の金属材を折り曲げて形成されているものであり、該スラットが、前記折り曲げによって形成された係合部を備えた第１の端と、前記折り曲げによって形成された係合受部を備えた第２の端とを有し、
第１の端の係合部は、連接する他のスラットが有する係合受部と係合するような形状に構成されており、第２の端の係合受部は、連接する他のスラットが有する係合部と係合するような形状に構成されており、
該スラットと他のスラットとを係合した箇所である連接部を、スラットのオモテ面から覆うように、蓋体を取り付けるステップを有し、
前記蓋体の平面寸法が、スラットのオモテ面の平面寸法と同じであることを特徴とする、水平引き防火防煙シャッター装置の製造方法。
【請求項６】
前記蓋体を取り付けるステップにおいて、スラットのオモテ面を規準として、スラットの第１の端から第２の端へ向かう方向、またはその逆方向に、前記蓋体をずらして取り付けることを特徴とする、請求項５に記載の製造方法。